(57)【要約】【課題】  複数本のケーブルがビデオカメラ本体に接続された状態で撮影を行なうと、ビデオカメラ本体背面に剛性の高いケーブルが自重で曲がり切らずに撮影者に向かって伸びているため、ファインダー部を覗く撮影を行なう時に、撮影者の顔や体に接触してしまい、画面が揺れたり、画角がずれたりといった映像品質の低下につながっていた。【解決手段】  ファインダー部に設けられたファインダー表示面に対して角度をもった面に複数のコネクタ配置部を有するようにコネクタが配置され、前記コネクタの中で、剛性が高いケーブルが接続されるコネクタを撮像装置本体側面に設けられた側面の第１のコネクタ配置部に配置し、剛性が低いケーブルで、かつ、使用頻度が高い前記コネクタを前記ファインダー部から離れた第２のコネクタ配置部に配置し、剛性が低いケーブルで、かつ、使用頻度が低い前記コネクタを前記ファインダー部に近い第３のコネクタ配置部に配置する。【選択図】  図１
2010109687.tif 000002
【特許請求の範囲】
【請求項１】
外部接続機器との接続を行なうためのコネクタがファインダー部近傍に複数個配置された撮像装置において、前記ファインダー部に設けられたファインダー表示面に対して角度をもった面に複数のコネクタ配置部を有するように前記コネクタが配置され、前記コネクタの中で、剛性が高いケーブルが接続される前記コネクタを前記撮像装置本体側面に設けられた第１のコネクタ配置部に配置し、剛性が低いケーブルで、かつ、使用頻度が高い前記コネクタを前記ファインダー部から離れた第２のコネクタ配置部に配置し、剛性が低いケーブルで、かつ、使用頻度が低い前記コネクタを前記ファインダー部に近い第３のコネクタ配置部に配置することを特徴とした撮像装置。
【請求項２】
前記第２のコネクタ配置部もしくは前記第３のコネクタ配置部の最上部、乃至、最下部にＬ字型の接続プラグを有するケーブルが接続する前記コネクタを配置することを特徴とする請求項１に記載の撮像装置。
【請求項３】
剛性の高いケーブルは、ＢＮＣケーブルであることを特徴とする請求項１に記載の撮像装置。
【請求項４】
最上部、乃至、最下部に配置する前記コネクタは、ＬＡＮＣ端子、ヘッドフォン端子であることを特徴とする請求項２に記載の撮像装置。
【発明の詳細な説明】
【技術分野】
【０００１】
本発明は撮像装置に関するものである。
【背景技術】
【０００２】
近年、ビデオカメラは、製品自体の性能に加えて、パソコンの普及やデジタル技術の進歩による高画質、高操作性編集の実現により、多種多様な周辺機器への信号入出力端子の搭載が求められる。それらの要求を満足するため、ビデオカメラ本体に複数個のコネクタが配置されるのが一般的である。
【０００３】
以下、従来のビデオカメラについて図を用いて説明する。図７は従来のビデオカメラの構成を示す正面図、図８は従来のビデオカメラの側面図、図９は従来のビデオカメラ本体のケーブル接続状態を示した斜視図、図１０は撮影者が従来のビデオカメラを把持し撮影を行なっている姿勢を示した図である。
【０００４】
図７、図８および図９において、７０１はビデオカメラ本体、７０２はビデオカメラ本体７０１の長手方向の一端面（被写体側）に設けられたレンズ部、７０３はビデオカメラ本体７０１の上面に設けられた把手部、７０４は把手部７０３の長手方向の他端面（撮影者側）に設けられたファインダー部、７０５はビデオカメラ本体７０１の側面に設けられたグリップ部、７０６はビデオカメラ本体７０１の背面に設けられたバッテリー収納部である。
【０００５】
ビデオカメラ本体７０１は本体前面にレンズ部７０２が配置され、本体側面にグリップ部７０５と反対側の本体側面に操作部（図示しない）が備えられる。また、本体上面にはファインダー部７０４を備えた把手部７０３やＬＣＤなどで構成された表示部（図示しない）が配置され、本体背面にはバッテリー収納部７０６が配置される。
【０００６】
このように構成されたビデオカメラ本体７０１において、複数のコネクタを配置する領域として、ファインダー部７０４より本体側面側、かつ、グリップ部７０５よりも本体背面側の限られた領域以外はコネクタを配置が困難である。
【０００７】
配置されるコネクタについて、７０７はビデオカメラ本体７０１の本体背面に設けられ有線で接続された外部接続機器でビデオカメラ本体７０１を操作できるＬＡＮＣ端子、７０８はビデオカメラ本体７０１の本体背面に設けられビデオカメラ本体７０１に配置された内蔵マイクにより入力された音声信号を出力可能なヘッドフォン端子、７０９はビデオカメラ本体７０１の本体背面に設けられ再生されたデジタル信号を出力可能なデジタル出力端子で、一方がパソコンなどに接続可能なＩＥＥＥ１３９４準拠のケーブルで接続可能となっている。７１０はビデオカメラ本体７０１の本体背面に設けられ音声信号と映像信号を入出力可能なＡ／Ｖ端子、７１１はビデオカメラ本体７０１の本体背面に設けられ高画質モードの映像信号を出力可能なＤ端子である。７１２はビデオカメラ本体７０１の本体背面に設けられ非圧縮の放送用ハイビジョン映像信号とＰＣＭ音声信号を出力可能なＳＤＩ端子、７１３はビデオカメラ本体７０１の本体背面に設けられタイムコード・ジェネレータを接続することで、ジェネレータ出力と同期が取れるようになるＧＥＮＬＯＣＫ端子、７１４はビデオカメラ本体７０１の本体背面に設けられＬＴＣ規格の信号をタイムコードとして記録できるようになるＴＩＭＥ  ＣＯＤＥ端子である。これらの端子には防塵・保護を目的として端子カバー（図示しない）が備えられており、図９に示したように使用時には端子カバーを開けてケーブルを接続する。
【０００８】
以上のように構成された従来のビデオカメラについて、以下その使用方法について説明する。通常、ビデオカメラの撮影方法は、図１０に示したようにグリップ部７０５を撮影者１００１が把持、もしくは、三脚に固定し、ファインダー部７０４を覗き被写体を常時モニターしながら撮影を行なう。撮影は、撮影中の音声を撮影者がヘッドフォンでモニターしながら撮影したり、ジェネレータを経由して他のビデオカメラと同期を取りながら撮影を行なったりするため、外部接続機器に接続しながら行なわれる。
【０００９】
図９に示すようにＬＡＮＣ端子７０７にはＬＡＮＣケーブル９０１、デジタル出力端子７０９にはＩＥＥＥ１３９４ケーブル９０２、ヘッドフォン端子７０７にはヘッドフォンケーブル９０３、Ａ／Ｖ端子７０９にはＡ／Ｖケーブル９０４、Ｄ端子７１１にはＤ端子ケーブル９０５、ＳＤＩ端子７１２にはＳＤＩケーブル９０６、ＧＥＮＬＯＣＫ端子７１３にはＧＥＮＬＯＣＫケーブル９０７、ＴＩＭＥ  ＣＯＤＥ端子７１４にはＴＩＭＥ  ＣＯＤＥケーブル９０８がそれぞれ接続される。これらの各端子は複数個同時に使用される場合も多く、複数本のケーブルがビデオカメラ本体７０１に接続され、撮影が行なわれる。
【特許文献１】特開２００３−３１５８９１号公報
【発明の開示】
【発明が解決しようとする課題】
【００１０】
しかし、上記従来の構成では、複数本のケーブルがビデオカメラ本体７０１に接続された状態で撮影を行なうと、ビデオカメラ本体７０１背面に剛性の高いケーブルが自重で曲がり切らずに撮影者に向かって伸びているため、ファインダー部を覗く撮影を行なう時に、撮影者の顔や体に接触してしまい、画面が揺れたり、画角がずれたりといった映像品質の低下につながっていた。さらに、ＳＤＩ端子７１２、ＧＥＮＬＯＣＫ端子７１３、ＴＩＭＥ  ＣＯＤＥ端子７１４に接続するケーブルはケーブル径が太く、剛性も高いＢＮＣケーブルであり、ケーブルの取り回しが難しいため、撮影者に接触すると撮影の妨げになる。
【課題を解決するための手段】
【００１１】
そこで従来のビデオカメラの前述の問題点を鑑みて、本発明の撮像装置は、外部接続機器との接続を行なうためのコネクタがファインダー部近傍に複数個配置された撮像装置において、ファインダー部に設けられたファインダー表示面に対して角度をもった面に複数のコネクタ配置部を有するようにコネクタが配置され、コネクタの中で、剛性が高いケーブルが接続される前記コネクタを前記撮像装置本体側面に設けられた側面の第１のコネクタ配置部に配置し、剛性が低いケーブルで、かつ、使用頻度が高いコネクタをファインダー部から離れた第２のコネクタ配置部に配置し、剛性が低いケーブルで、かつ、使用頻度が低い前記コネクタをファインダー部に近い第３のコネクタ配置部に配置する。
【００１２】
また、第２のコネクタ配置部もしくは第３のコネクタ配置部の最上部、乃至、最下部にＬ字型の接続プラグを有するケーブルが接続するコネクタを配置する。
【発明の効果】
【００１３】
以上のように構成することにより、剛性の高いケーブルが接続するコネクタが撮影者から離れる位置に配置されるため、ケーブルを接続した状態でも快適な撮影を行なうことができる。また、使用頻度の高いケーブルが接続するコネクタが撮影者から離れる位置に配置されるため、ケーブルを接続した状態でも快適な撮影を行なうことができる。
【００１４】
また、第２のコネクタ配置部もしくは第３のコネクタ配置部の最上部、乃至、最下部にＬ字型の接続プラグを有するケーブルが接続するコネクタを配置することで、ビデオカメラ本体を机上などの平面に置いたときに、Ｌ字型の接続プラグを有するケーブルの逃げを確保できるため、ケーブルの異常な屈曲を回避でき、コネクタへの負担を軽減できる。
【発明を実施するための最良の形態】
【００１５】
以下、本発明の実施の形態について、図を用いて説明する。本実施例において、従来のビデオカメラと同一の構成については、同一の符号を記すことで説明を省略する。
【実施例１】
【００１６】
図１は第１の実施例によるビデオカメラの斜視図、図２は第１の実施例によるビデオカメラの側面図、図３は第１の実施例によるビデオカメラ本体のケーブル接続状態を示した斜視図、図４は撮影者が第１の実施例によるビデオカメラ本体を把持し撮影を行なっている姿勢を示した側面図、図５は撮影者が第１の実施例によるビデオカメラ本体を用いて撮影を行っている姿勢を示した上面図である。
【００１７】
図１、図２において、１０１は第１の実施例によるビデオカメラ本体である。また、１０２はビデオカメラ本体１０１の本体背面に設けられビデオカメラ本体１０１に選択的に取り付け可能な外部ファインダーに映像信号を出力可能な外部ファインダー端子、１０３はビデオカメラ本体１０１の側面に備えられた、剛性が高いコネクタを配置した側面の第１のコネクタ配置部１０４は剛性が低く、使用頻度の高いコネクタを配置した第２のコネクタ配置部、１０５は剛性が低く、使用頻度の低いコネクタを配置した第３のコネクタ配置部である。その他のコネクタは従来のビデオカメラ７０１と同一の構成である。
【００１８】
これらコネクタの配置部は、ビデオカメラ本体１０１は本体前面にレンズ部７０２が配置され、本体側面にグリップ部７０５と反対側の本体側面に操作部（図示しない）が備えられる。また、本体上面にはファインダー部７０４を備えた把手部７０３やＬＣＤなどで構成された表示部（図示しない）が配置され、本体背面にはバッテリー収納部７０６が配置される。
【００１９】
このように構成されたビデオカメラ本体１０１において、複数のコネクタを配置する領域として、ファインダー部７０４より本体側面側、かつ、グリップ部７０５よりも本体背面側の限られた領域以外はコネクタを配置が困難である。
【００２０】
ビデオカメラ本体１０１では、剛性が高いケーブルが接続するコネクタとしてＳＤＩ端子７１２、ＧＥＮＬＯＣＫ端子７１３、ＴＩＭＥ  ＣＯＤＥ端子７１４を第１の配置部１０３に配置した。
【００２１】
また、剛性が低いケーブルが接続するコネクタの配置について図５を用いて説明する。ファインダー部７０４内部にはファインダー表示部５０１が配置されており、ファインダー表示部５０１と垂直にファインダー光軸５０２が形成され、ファインダー表示部５０１に表示された映像がファインダー光学系（図示しない）を通して拡大されて撮影者１００１に視認される。コネクタを配置する面は、ビデオカメラ本体１０１側面の第１のコネクタ配置部１０３に対して平行な面（以下、平行面５０３とする）とファインダー光軸５０２に対して垂直な面（以下、垂直面５０４とする）がビデオカメラ本体１０１背面とが交差し、平行面５０３と垂直面５０４との交差によって形成される角部にファインダー光軸５０２に対して所定の角度を持って形成される傾斜面５０５に配置する。垂直面５０４はビデオカメラ本体１０１のグリップ部７０５と撮影者１００１のアイポイント５０６との間に設定する。本実施例では、ファインダー光軸５０２と傾斜面５０５との角度αは、ビデオカメラ本体１０１の内部構成と本実施例の効果との両立ができる角度として５５度に設定しているが、ビデオカメラ本体１０１に配置されるコネクタの数、大きさで適当な角度を設定する必要がある。
【００２２】
傾斜面５０５はファインダ部７０４から離れた位置にある第２のコネクタ配置部１０４とファインダ部７０４に近い位置にある第３のコネクタ配置部１０５に分割されている。傾斜面５０５内でのコネクタ配置は、第２のコネクタ配置部１０４には、剛性が低いケーブルが接続するコネクタで、かつ、使用頻度の高いコネクタを配置する。本実施例では、ＬＡＮＣ端子７０７、Ａ／Ｖ端子７１０、デジタル出力端子７０９、ヘッドフォン端子７０８を配置した。第３のコネクタ置部１０５には剛性が低いケーブルが接続するコネクタで、かつ、使用頻度の低いコネクタを配置する。本実施例ではＤ端子７１１、外部ファインダー端子１０２を配置した。
【００２３】
以上のように構成されたビデオカメラ本体１０１について、以下その使用方法について説明する。通常、ビデオカメラ本体１０１の撮影方法は、図４に示したようにグリップ部７０５を撮影者１００１が把持し、ファインダー部７０４を覗きながら撮影を行なう。撮影は、外部接続機器に接続しながら行なわれる場合もある。図３に示すようにＬＡＮＣ端子７０７にはＬＡＮＣケーブル９０１、デジタル出力端子７０９にはＩＥＥＥ１３９４ケーブル９０２、ヘッドフォン端子７０８にはヘッドフォンケーブル９０３、Ａ／Ｖ端子７１０にはＡ／Ｖケーブル９０４、Ｄ端子７１１にはＤ端子ケーブル９０５、外部ファインダー端子１０２には外部ファインダーケーブル３０１、ＳＤＩ端子７１２にはＳＤＩケーブル９０６、ＧＥＮＬＯＣＫ端子７１３にはＧＥＮＬＯＣＫケーブル９０７、ＴＩＭＥ  ＣＯＤＥ端子７１４にはＴＩＭＥ  ＣＯＤＥケーブル９０８がそれぞれ接続される。これらの各端子は図４乃至図５に示すように複数同時に使用される場合があるため、複数本のケーブルがビデオカメラ本体１０１に接続され、撮影が行なわれる。
【００２４】
このとき、図５に示すように側面の第１のコネクタ配置部１０３に剛性の高いケーブルが接続するコネクタを配置することで、ケーブルが撮影者１００１に当たることを回避できる。また、ビデオカメラ本体１０１に傾斜面５０５を設け、傾斜面５０５に第２のコネクタ配置部１０４および第３のコネクタ配置部１０５を備えることで、ファインダー部７０４を使用した撮影時に撮影者１００１にケーブルが当たることを回避できる。
【００２５】
したがって、複数本のケーブルがビデオカメラ本体１０１に接続され、撮影が行なわれたとしても、ケーブルが撮影者から離れる方向に突出するため、撮影者はケーブルを気にすることなく快適に撮影ができる。
【００２６】
また、図６は第２のコネクタ配置部１０４のヘッドフォン端子７０８にＬ字型ヘッドフォンケーブル６０４を接続した図である。一般的にＬＡＮＣ端子７０７、ヘッドフォン端子７０８にはＬ字型の接続プラグが接続することが多い。ＬＡＮＣ端子７０７を最上部に配置し、ヘッドフォン端子７０８を最下部に配置した
このような構成を取ることで、ＬＡＮＣケーブル９０１、Ｌ型ヘッドフォンケーブル６０４をコネクタに接続したとき、各ケーブルが第２のコネクタ配置部１０４の上下方向に逃げることが可能となり、他のケーブルとの干渉を防ぐことができる。したがって、机上など平面に置いたときでも、ケーブルの屈曲を回避でき、コネクタへの負担を軽減できる。
【図面の簡単な説明】
【００２７】
【図１】第１の実施例によるビデオカメラの斜視図
【図２】第１の実施例によるビデオカメラの側面図
【図３】第１の実施例によるビデオカメラ本体のケーブル接続状態を示した斜視図
【図４】撮影者が第１の実施例によるビデオカメラ本体を把持し撮影を行なっている姿勢を示した側面図
【図５】撮影者が第１の実施例によるビデオカメラ本体を用いて撮影を行っている姿勢を示した上面図
【図６】Ｌ型ヘッドフォンケーブルを接続した第１の実施例によるビデオカメラ
【図７】従来のビデオカメラの構成を示す正面図
【図８】従来のビデオカメラの側面図
【図９】従来のビデオカメラ本体のケーブル接続状態を示した斜視図
【図１０】撮影者が従来のビデオカメラを把持し撮影を行なっている姿勢を示した図
【符号の説明】
【００２８】
１０１  第１の実施例によるビデオカメラ本体
１０２  外部ファインダー端子
１０３  第１のコネクタ配置部
１０４  第２のコネクタ配置部
１０５  第３のコネクタ配置部
３０１  外部ファインダーケーブル
５０１  ファインダー表示部
５０２  ファインダー光軸
５０３  平行面
５０４  垂直面
５０５  傾斜面
５０６  撮影者のアイポイント
α  傾斜面のファインダー光軸に対する角度
６０４  Ｌ字型ヘッドフォンケーブル
７０１  従来のビデオカメラ本体
７０２  レンズ部
７０３  把手部
７０４  ファインダー部
７０５  グリップ部
７０６  バッテリー収納部
７０７  ＬＡＮＣ端子
７０８  ヘッドフォン端子
７０９  デジタル出力端子
７１０  Ａ／Ｖ端子
７１１  Ｄ端子
７１２  ＳＤＩ端子
７１３  ＧＥＮＬＯＣＫ端子
７１４  ＴＩＭＥ  ＣＯＤＥ端子
９０１  ＬＡＮＣケーブル
９０２  ＩＥＥＥ１３９４ケーブル
９０３  ヘッドフォンケーブル
９０４  Ａ／Ｖケーブル
９０５  Ｄ端子ケーブル
９０６  ＳＤＩケーブル
９０７  ＧＥＮＬＯＣＫケーブル
９０８  ＴＩＭＥ  ＣＯＤＥケーブル
１００１  撮影者
【図１】
2010109687.tif 000003
【図２】
2010109687.tif 000004
【図３】
2010109687.tif 000005
【図４】
2010109687.tif 000006
【図５】
2010109687.tif 000007
【図６】
2010109687.tif 000008
【図７】
2010109687.tif 000009
【図８】
2010109687.tif 000010
【図９】
2010109687.tif 000011
【図１０】
2010109687.tif 000012